(57)【要約】【課題】特殊な部材や組み立て方法を用いることなく、固定子が回転しているときに前記回転子が固定子から抜けるのを抑制するとともに、前記回転子が停止しているときは容易に前記回転子を前記固定子に着脱することができるスピンドルモータを提供する。【解決手段】ターンテーブル２と、回転子３と、固定子４とを有しており、回転子３のロータケース３２の円板部３２１の下面に突出して径背された爪部３３２を備えた係合部３３を、固定子４のハウジング４２のフランジ部４２１に形成された凹部４４を通過させることで、回転部３を固定部４に取り付けるものであり、回転部３が停止しているときに、爪部３３２と凹部４４とが軸方向に重ならないように形成されているスピンドルモータ１。【選択図】図１
2008312300.tif 000002
【特許請求の範囲】
【請求項１】
円板部を備えた有底円筒形状のロータケースを具備した回転子と、
有底円筒形状のハウジングを具備した固定子とを有するスピンドルモータであって、
前記ロータの円板部には下方に伸びる支持部と、前記支持部の先端が前記円板部の中心側に屈曲された爪部とを具備した複数の係合部が同一ピッチ円上に配置されており、
前記ハウジングの端部は、前記円板部と対向するフランジ部を有しているとともに、前記フランジ部は前記係合部と同じ数及び前記回転子が前記固定子に対して所定の位置にあるとき前記爪部と軸方向に重なるように形成された凹部を有しており、
前記支持部は少なくとも前記フランジ部の厚さよりも長く形成されており、
前記凹部は前記爪部が軸方向に通過できる大きさを有しているとともに、前記回転子が前記固定子との間に生じる磁気による引力と斥力とがつりあった位置で停止したときに、前記爪部と軸方向に重ならないように形成されていることを特徴とするスピンドルモータ。
【請求項２】
前記凹部には、前記回転子が回転する方向の上流側で前記フランジ部と接続されたフラップ部が備えられており、
前記フラップ部は前記回転子の回転方向の下流側が前記回転子の挿入方向奥側に位置するものであり、
前記支持部の長さが、前記回転子を前記固定子に取り付けたときに、前記爪部が前記フラップ部よりも前記フランジ部から離れて位置するように形成されていることを特徴とする請求項１に記載のスピンドルモータ。
【請求項３】
前記フラップ部は前記フランジ部の周方向に傾いて形成されていることを特徴とする請求項２に記載のスピンドルモータ。
【請求項４】
前記フラップ部は前記フランジ部より直交するように前記回転子の挿入方向奥側に突出された回り止め部と、前記回り止め部の先端側より前記回転子の回転方向下流側に突設された抜け止め部とを有していることを特徴とする請求項２に記載のスピンドルモータ。
【請求項５】
前記フラップ部は前記フランジ部の一部を切り曲げて形成されていることを特徴とする請求項２から請求項４のいずれかに記載のスピンドルモータ。
【請求項６】
前記係合部は前記円板部を切り曲げることで形成されていることを特徴とする請求項１から請求項５のいずれかに記載のスピンドルモータ。
【請求項７】
前記回転子は前記ロータを貫通し前記ロータと固定された回転軸と、前記回転軸に固定されたターンテーブルを有しており、
前記ターンテーブルには前記円板部に前記係合部を切り曲げたときに形成された孔に密着して挿入される凸部が底面に形成されていることを特徴とする請求項６に記載のスピンドルモータ。
【発明の詳細な説明】
【技術分野】
【０００１】
本発明は、回転時の脱落を抑制するとともに、停止時には容易に着脱可能である回転子を備えたスピンドルモータに関するものである。
【背景技術】
【０００２】
映像、音声等の情報の記録媒体としてレーザ光を照射することで情報を記録したり及び（又は）再生したりすることができる光ディスクが利用されている。前記光ディスクとして、ＣＤ（Compact Disc）、ＤＶＤ（Digital Versatile Disc）等が広く用いられている。これら光ディスクを記録媒体とする光ディスク装置は、前記光ディスクを回転させ前記光ディスクの記録面にレーザ光を照射することで、前記光ディスクに予め記録されている情報を読み出したり、記録可能な光ディスクに情報を記録したりする。前記光ディスクの回転には光ディスク駆動機構が用いられている。
【０００３】
図９は従来の光ディスク駆動機構の一例の縦断面図である。図９に示すように、光ディスク駆動機構Ｂは、光ディスクＤｓが載置されるターンテーブル９１と、ターンテーブル９１を駆動するスピンドルモータ９２とを有している。スピンドルモータ９２は、回転子９３と、固定子９４とを有している。
【０００４】
図９に示すように、回転子９３は、出力軸９５と、出力軸９５が圧入されたロータケース９６とを有している。ロータケース９６は、出力軸９５が圧入された貫通孔が形成される円板部９６１と、円盤部９６１の縁部と一体的に接続し、円筒形状を有するバックヨーク９６２と、バックヨーク９６２の内面に貼り付けられたロータ磁石９６３とを備えている。ロータ磁石９６３は円周方向にわたりＮ極、Ｓ極とを交互に多極着磁して形成されている。
【０００５】
また、固定子９４は、出力軸９５を保持する軸受９７と、軸受９７が圧入されたハウジング９８と、ハウジング９８が圧入されたステータ９９とを有している。ステータ９９は、隣り合うもの同士が等中心角度をなすように放射状に配置された複数のスロット９９１と、スロット９９１に巻きつけられたコイル９９２とを備えている。なお、ハウジング９８はベースプレート９０に形成された貫通孔９０１にも圧入固定されており、ベースプレート９０には、コイル９９２に電力を供給する基板９０２も配置されている。コイル９９２は電流が流されることで、Ｎ極もしくはＳ極の磁界を発生するようになっている。
【０００６】
スピンドルモータ９２は、コイル９９２に所定のタイミングで電流を流すことで、ロータ磁石９６３がコイル９９２及びスロット９９１より発生する磁界に吸引及び反発されるときの力を利用して、回転子９３を回転させている。
【０００７】
ハウジング９８は、鉄板や鋼板などの金属板の深絞りにより形成されるものであり、有底円筒形状を有している。ハウジング９８の底部９８０には出力軸９５差込用の凹部９８１が形成されており、底部９８０には円環状のストッパリング９８２が配置されている。ストッパリング９８２をハウジング９８の底部９８０に配置したのち、軸受９７を圧入することでストッパリング９８２の抜け止めがなされる。
【０００８】
出力軸９５の一方の端部９５ａの近傍には凹溝９５１が周方向に形成されている。出力軸９５の先端部をストッパリング９８２の中心に形成された中心孔９８３に押し込み、中心孔９８３を拡径させて、出力軸９５はストッパリング９８２を通過する。そしてストッパリング９８２は出力軸９５の凹溝９５１と係合し、出力軸９５がハウジング９８より抜け出すのを抑制している。
【０００９】
出力軸９５の他方の端部９５ｂの近傍には、接着溝９５２が周方向に形成されている。接着溝９５２に接着剤を充填させた状態で、ターンテーブル９１を圧入することで、ターンテーブル９１を出力軸９５に強固に固定している。
【００１０】
また、特開２０００−１１６０５２号公報に記載の発明では、ロータに係合爪を形成し、ステータに形成された支持溝に前記係合爪を係合した後に、金属製のリング部材を支持溝に嵌着させることで、前記係合爪の先端部が前記リング部材にて抜け止めがなされているものを示している。
【００１１】
また、特開２００３−３２９３２号公報に記載の発明には、ロータにばね性を有する係合部を備えた抜け止め部材が取り付けられており、ロータをステータに押し付けることで、前記係合部が弾性的に変形し、被係合部と係合することで、ロータが軸方向に抜けるのを抑制しているものを示している。
【００１２】
【特許文献１】特開２０００−１１６０５２号公報
【特許文献２】特開２００３−３２９３２号公報
【発明の開示】
【発明が解決しようとする課題】
【００１３】
しかしながら、出力軸９５の凹溝９５１にストッパリング９８２を係合して、抜け止めを行う場合、ベースプレート９０にハウジング９８が圧入されているので、ハウジング９８を破壊しないと部材を取り外すことができない。ハウジング９８は破壊されるので再利用することは不可能であるが、それ以外の部材（出力軸９５、軸受９７等）にも無理な力がかかって変形してしまうことがあり、本来不具合のなかった部材も、信頼性が低下してしまう等の理由により、高精度を要求されるスピンドルモータの部材として再利用することができない。
【００１４】
このことは、部分的に不良、不具合が発生した場合であっても、光ディスク駆動機構を構成する部材すべてを破棄しなくてはならず、無駄が多い。また、出力軸９５に加工が必要であったり、ストッパリング９８２も別途必要であるので、それだけ、製造に必要な手間、時間が増え、コストがアップする。
【００１５】
また、特開２０００−１１６０５２号公報に記載の発明では、前記係合爪を支持溝に係合した後に、係合するリング部材が別途必要である。また、リング部材を係合させなくてはならず、そのための工程が別途必要になってくる。これにより、組み立てコストが高くなる。
【００１６】
特開２００３−３２９３２号公報も同様で、前記抜け止め部材が別途必要であり、しかも、前記ロータに前記抜け止め部材を溶接しなくてはならず、組み立てに手間と、コストがかかる。また、前記抜け止め部材を溶接するときに、前記抜け止め部材又は前記ロータに残留応力を発生させることが考えられ、係合に強い力が必要になったり、歪んでしまって、係合時のバランスが悪くなってしまったりする場合がある。
【００１７】
そこで本発明は、特殊な部材や組み立て方法を用いることなく、固定子が回転しているときに前記回転子が固定子から抜けるのを抑制するとともに、前記回転子が停止しているときは容易に前記回転子を前記固定子に着脱することができるスピンドルモータを提供することを目的とする。
【課題を解決するための手段】
【００１８】
上記目的を達成するために本発明は、円板部を備えた有底円筒形状のロータケースを具備した回転子と、有底円筒形状のハウジングを具備した固定子とを有するスピンドルモータであって、前記ロータの円板部には下方に伸びる支持部と、前記支持部の先端が前記円板部の中心側に屈曲された爪部とを具備した複数の係合部が同一ピッチ円上に配置されており、前記ハウジングの端部は、前記円板部と対向するフランジ部を有しているとともに、前記フランジ部は前記係合部と同じ数及び前記回転子が前記固定子に対して所定の位置にあるとき前記爪部と軸方向に重なるように形成された凹部を有しており、前記支持部は少なくとも前記フランジ部の厚さよりも長く形成されており、前記凹部は前記爪部が軸方向に通過できる大きさを有しているとともに、前記回転子が前記固定子との間に生じる磁気による引力と斥力とがつりあった位置で停止したときに、前記爪部と軸方向に重ならないように形成されていることを特徴とする。
【００１９】
この構成によると、前記係合部の前記爪部を容易に前記凹部を通過させることができるので、前記固定子に対して前記回転子を取り付け或いは取り外しが容易である。また、前記回転子が停止しているときは、前記爪部と前記凹部とが軸方向に重ならないので、前記回転子に軸方向の力が作用しても、前記回転子が前記固定子から離脱するのを抑制することができる。
【００２０】
このことは、従来用いていた出力軸の抜け止めリングを用いなくても、前記回転子の抜け止めを行うことができるので、部材を省略することができる。また、容易に着脱できるので、前記回転子或いは前記固定子の一部に不具合が発生した場合であっても、不具合が発生した部材のみを交換して、不具合が発生した部材以外の部材を再利用することができるので、物品の無駄を省くことができる。
【００２１】
上記構成において前記凹部には、前記回転子が回転する方向の上流側で前記フランジ部と接続されたフラップ部が備えられており、前記フラップ部は前記回転子の回転方向の下流側が前記回転子の挿入方向奥側に位置するものであり、前記支持部の長さが、前記回転子を前記固定子に取り付けたときに、前記爪部が前記フラップ部よりも前記フランジ部から離れて位置するように形成されているものとしてもよい。前記フラップ部は前記フランジ部の周方向に傾いて形成されていてもよい。
【００２２】
この構成によると、前記凹部に前記フラップ部が形成されており、前記回転子が抜ける方向に付勢されつつ回転した場合であっても、前記フラップ部が前記爪部を奥側に導く形状を有しているので、前記回転子が回転しているとき或いは停止しているときいずれのときでも、前記固定子から離脱するのを抑制することが可能である。
【００２３】
また、前記爪部を前記フランジ部に押し当てて、前記回転子を回転方向に回すことで取り付けることができ、前記回転子を引っ張りながら回転方向と逆方向に回すことで離脱させることができるので、着脱も容易に行うことが可能である。
【００２４】
上記構成において、前記フラップ部は前記フランジ部より直交するように前記回転子の挿入方向奥側に突出された回り止め部と、前記回り止め部の先端側より前記回転子の回転方向下流側に突設された抜け止め部とを有しているものとしてもよい。
【００２５】
この構成によると、前記回転子が回転しているときに、軸方向に引っ張られた場合、前記爪部が前記回り止め部と当接して、前記回転子が停止する。これにより、不具合が発生したときに直ちに停止させることができるので、駆動し続けることで発生する破損や、故障を未然に防ぐことができる。
【００２６】
上記構成において、前記フラップ部は前記フランジ部の一部を切り曲げて形成されているものであってもよく、また、前記係合部が前記円板部を切り曲げることで形成されているものであってもよい。前記係合部を前記円板部を切り曲げることで形成されているものの場合、前記回転子は前記ロータを貫通し前記ロータと固定された回転軸と、前記回転軸に固定されたターンテーブルを有しており、前記ターンテーブルには前記円板部に前記係合部を切り曲げたときに形成された孔に密着して挿入される凸部が底面に形成されているものであってもよい。
【発明の効果】
【００２７】
本発明によると、特殊な部材や組み立て方法を用いることなく、固定子が回転しているときに前記回転子が固定子から抜けるのを抑制するとともに、前記回転子が停止しているときは容易に前記回転子を前記固定子に着脱することができるスピンドルモータを提供することができる。
【発明を実施するための最良の形態】
【００２８】
以下に本発明の実施形態を図面を参照して説明する。図１は本発明にかかるスピンドルモータの一例の縦断面図であり、図２は図１に示すスピンドルモータの横断面図である。図１に示すスピンドルモータ１は、光ディスクＤｓが載置されたターンテーブル２と、回転子３と、固定子４とを有している。
【００２９】
ターンテーブル２は樹脂の一体成型にて形成された回転体であり円板形状を有する本体部２１と、本体部２１の中央に軸方向に突出し、光ディスクＤｓの中央に形成された円形状の孔を貫通するハブ部２２と、本体部１１及びハブ部２２を貫通し中心軸に沿う方向に延設されるともに、出力軸３１が圧入固定される貫通孔２３と、ハブ部２２と同じ方向に突出し本体部２１の円周部を一周するように形成され、光ディスクＤｓを載置するためのディスク載置部２４とを有している。
【００３０】
図２に示すように、回転子３は、出力軸３１と、出力軸３１が圧入されたロータケース３２とを有している。ロータケース３２は、中央に出力軸３１が圧入された貫通孔３２０が形成された円板部３２１と、円板部３２１の縁部と一体的に接続し、円筒形状を有するバックヨーク３２２と、バックヨーク３２２の内面に貼り付けられたロータ磁石３２３とを備えている。ロータ磁石３２３は円周方向にわたりＮ極、Ｓ極とを交互に多極着磁して形成されている。なお、ロータ磁石３２３の磁極数はここでは１２極である。
【００３１】
一方、固定子４は、出力軸３１を保持する軸受４１と、軸受４１が圧入固定されたハウジング４２と、ハウジング４２が圧入されたステータ４３とを有している。ステータ４３は、隣り合うもの同士が等中心角度をなすように放射状に配置された９個のコアスロット４３１と、コアスロット４３１に巻きつけられたコイル４３２とを備えている。なお、ハウジング４２はベースプレート４０に形成された貫通孔４０１にも圧入されており、ベースプレート４０には、コイル４３２に電力を供給する基板４０２が配置されている。コイル４３２は電流が流されることで、Ｎ極もしくはＳ極の磁界を発生するようになっている。
【００３２】
軸受４１はそれには限定されないが、ここでは、粉体状の金属を焼結して形成されるものであり、出力軸３１を接触しつつ支持するもの、いわゆる、すべり軸受である。軸受４１は中央には貫通孔４１０が形成されている。出力軸３１は貫通孔４１０の内周壁に摺動可能に接触することで支持されている。軸受４１は外周壁をハウジング４２の内周部と当接され、更に押し込まれることで圧入固定されるものである。
【００３３】
ハウジング４２は、それには限定されないが、鉄板などの磁性体金属板の深絞りにより形成されるものであり、有底円筒形状を有している。ハウジング４２の内周壁は軸受４１が圧入固定されるものであり、外周壁はステータ４３に形成された貫通孔及びベースプレート４０の貫通孔に圧入される。ハウジング４２の開口側端部には、フランジ部４２１が形成されている。
【００３４】
スピンドルモータ２は軸受４１に出力軸３１を回動可能に挿入することで組み立てられる。このとき、軸受３１の先端部とハウジング４２の底部とが当接しており、ロータケース３２に取り付けられているロータ磁石３２３は、ステータ４３に対する磁力が最も強くなる位置よりも上方に位置するように配置されている。これにより、ロータ磁石３２３が、ステータ４３との磁力によって下方に引かれている。この磁力によって回転子３は固定子４より脱落するのを抑制されている。
【００３５】
スピンドルモータ２は、コイル４３２に所定のタイミングで電流を流すことで、ロータ磁石３２３がコイル４３２及びコアスロット４３１より発生する磁界に吸引及び反発されるときの力を利用して、回転子３を回転させている。
【００３６】
また、コイル４３２に電力が供給されていない場合、すなわち、回転子３が停止しているときは、ロータ磁石３２３の各磁極とステータ４３のコアスロット４３１との間に、磁力による引力又は斥力が発生しており、この力がつりあう位置（固定子４に対する回転子３の相対的な位置であり、以下、磁力均衡停止位置という）で回転子３は停止している。
【００３７】
スピンドルモータの回転子と固定子の取り付けの詳細について、図面を参照して詳説する。図３は図２に示すスピンドルモータのロータケースの底面図であり、図４は図３に示すロータケースの拡大断面図であり、図５は図２に示すスピンドルモータのハウジングの平面図であり、図６は回転子と固定子とを組み合わせた状態でフランジ部と係合部を拡大した図である。
【００３８】
図３に示すように、ロータケース３２の円板部３２１には、等中心角度間隔をなすように３個の係合部３３が形成されている。係合部３３は、円板部３２１を切り曲げることで形成されるものであり。所定の半径を有するピッチ円Ｐ１上に配置され、円板部３２１より下方に向けて突設された支持部３３１と、支持部３３１の先端より内側に向けて突設された爪部３３２とを有している。係合部３３を形成したことで、円板部３２１には、貫通孔３３０が形成されている。
【００３９】
また、図１に示すように、ターンテーブル２の底面には、回転軸を中心とした等中心角度間隔で３個突設されたボス２５が形成されている。ターンテーブル２の貫通孔２３に出力軸３１を圧入するときに、ボス２５を係合部３３を製造したときに形成された貫通孔３３０に挿入する。このように、ボス２５を貫通孔３３０が挿入されているので、貫通孔３３０より塵、埃等の異物が混入するのを抑制することが可能である。
【００４０】
図４に示すように、支持部３３１は円板部３２１に対して垂直になるように、爪部３３２は支持部３３１に対して垂直になるように形成されている。爪部３３２はフランジ部４２１を挟んで円板部３２１と反対側に回り込むように形成されている。また、支持部３３１の長さはフランジ部４２１の厚さよりも大きくなるように形成されている。
【００４１】
図５に示すように、ハウジング４２のフランジ部４２１には、径方向に切り込まれた凹部部４４が形成されている。凹部部４４はフランジ部４２１の外周部に等中心角度間隔で３個形成されている。また、凹部部４４の周方向、径方向の大きさは、爪部３３２が軸方向に通過することができる大きさで形成されている。
【００４２】
図６に示すように、支持部３３１が突設されたピッチ円Ｐ１の直径はフランジ部４２１の直径よりも大きく形成されている。回転子３が磁力均衡停止位置で停止しているとき、係合部３３と凹部４４とが軸方向に重ならないように、係合部３３と凹部４４とを形成している。このように、回転子３の停止位置で軸方向に、ロータ磁石３２３とステータ４３との磁気力よりも強い力が作用した場合であっても、爪部３３２とフランジ部４２１とが係合して回転子３が脱落するのを抑制することができる。
【００４３】
また、軸受４１に出力軸３１を挿入し、爪部３３２をフランジ部４２１の上面に当接させ、軸方向下方に押圧しつつ回転させることで、爪部３３２と凹部４４とが軸方向に重なる。これにより、爪部３３２が凹部４４を通過しフランジ部４２１の下面側に配置される。この状態で回転子３を保持している力を除去すると、回転子３は磁力均衡停止位置に移動し、爪部３３２と凹部４４との軸方向位置がずれるように取り付けることができる。
【００４４】
回転子３を取り外すときは、取り付けるときと逆の手順で行えばよい。すなわち、回転子３を引き抜く方向に力を付勢しつつ、出力軸３１回りに回転させることで、爪部３３２と凹部４４とが軸方向に重なったときに、回転子３を固定子４より取り外すことができる。
【００４５】
このように、係合部３３及び凹部４４を形成することで、回転子３を固定子４に対して容易に着脱することができる。また、回転子３が停止している状態で、回転子３に軸方向の力が付勢した場合であっても、爪部３３２とフランジ部４２１とが接触するので、回転子３が抜けるのを抑制することが可能である。
【００４６】
本発明にかかるスピンドルモータの他の例について説明する。図７は本発明にかかるスピンドルモータの他の例の要部を拡大した断面図である。図７に示すスピンドルモータ５は、凹部４４の部分に、フランジ部４２１の一部を切り曲げて形成されたフラップ部５１が形成されている。それ以外の部分は、図２、図３、図４等に示すスピンドルモータ２と同じ構成を有しているものであり、実質上同じ部分には同一の符号が付してある。
【００４７】
図７に示すように、フランジ部４２１を切り曲げて形成されたフラップ部５１が形成されている。フラップ部５１は、図中矢印Ａｒ１で示す回転子３の回転方向の上流側とフランジ部４２１と一体接続されているものであり、下流側に向けて、下方に垂れるように形成されているものである。
【００４８】
フラップ部５１の下流側先端部とフランジ部４２１の下面との隙間は、爪部３３２の厚さよりも大きくなるように形成されている。また、係合部３３の支持部３３１の長さは、回転子３を固定子４に取り付けたときに、爪部３３２がフラップ部５１の先端よりも下方に配置される長さで形成されている。
【００４９】
回転子３の爪部３３２をフランジ部４２１の上面に当接させるように力を付勢して、回転子３を回転方向に摺動させることで、爪部３３２はフラップ部５１と当接しつつ摺動して、爪部３３２がフランジ部４２１の下部にもぐりこむ。また、回転子３が回転中に軸方向に力が作用した場合であっても、フラップ部５１にあたり、爪部３３２が凹部４４を通過して、回転子３が脱落するのを抑制することが可能である。
【００５０】
さらに、また、回転子３を軸方向に引き上げつつ、固定子３を回転方向と逆方向に回すことで、爪部３３２がフラップ部５１に接触しつつ摺動して、固定子３が凹部４４を通過して、回転子３が固定子４より取り外すことが可能である。
【００５１】
本発明にかかるスピンドルモータのさらに他の例について説明する。図８は本発明にかかるスピンドルモータの他の例の要部を拡大した断面図である。図８に示すスピンドルモータ６は、フラップ部６１が異なる以外は図７に示すスピンドルモータ５と同じ構成を有するものであり、実質上同じ部分には、同一の符号が付してある。
【００５２】
図８に示すようにフラップ部６１は、フランジ部４２１と一体的に接続され、フランジ部４２１と直交する回り止め部６１１と、回り止め部６１１の先端より直交するように突設された抜け止め部６１２とを有している。抜け止め部６１２は回転子３の回転方向（矢印Ａｒ１方向）下流側に周方向に突出したものである。
【００５３】
このように形成されていると、回転子３が抜ける方向に付勢された状態で、回転した場合、爪部３３２が回り止め部６１１と当接して、回転が阻止されるので、ターンテーブル１に載置されている、光ディスクＤｓが別部材と当接した状態で回転してしまい、傷ついてしまうのを抑制することが可能である。
【００５４】
上述したように、回転子３に抜け止め部材を別途用いることなく、回転子が固定子より抜けるのを抑制することができる。また、回転子３を固定子４から容易に着脱することができるので、回転子３の一部に不具合が発生した場合でも、その部分を取り除いて不具合のないものに取り替えて再度利用することができるので、従来のように、破壊しなくてもよく、それだけ、資源の無駄を抑制することが可能である。
【００５５】
以上、発明の実施形態を具体的に説明したが、本発明は上記実施形態に限定するものではなく、その要旨を逸脱しない範囲で種々変更可能である。
【産業上の利用可能性】
【００５６】
本発明の光ヘッドは、ＤＶＤ、ＣＤ、ＢＤ等を利用した光ディスク装置に備えられた光ディスク駆動機構において適用することができる。
【図面の簡単な説明】
【００５７】
【図１】本発明にかかる光ディスク駆動機構の一例の縦断面図である。
【図２】図１に示す光ディスク駆動機構の横断面図である。
【図３】図２に示すスピンドルモータのロータケースの底面図である。
【図４】図３に示すロータケースの拡大断面図である。
【図５】図２に示すスピンドルモータのハウジングの平面図である。
【図６】回転子と固定子とを組み合わせた状態の平面図である。
【図７】本発明にかかるスピンドルモータの他の例の要部を拡大した断面図である。
【図８】本発明にかかるスピンドルモータのさらに他の例の要部を拡大した断面図である。
【図９】従来の光ディスク駆動機構の一例の縦断面図である。
【符号の説明】
【００５８】
Ａ  光ディスク駆動機構
１  ターンテーブル
１１  本体部
１２  ハブ部
１３  貫通孔
１４  ディスク載置部
２  スピンドルモータ
３  回転子
３１  出力軸
３２  ロータケース
３２１  円板部
３２２  バックヨーク
３２３  ロータ磁石
３３  係合部
３３１  支持部
３３２  爪部
４  固定子
４１  軸受
４２  ハウジング
４２１  フランジ部
４３  ステータ
４３１  コアスロット
４３２  コイル
４４  凹部
５１  フラップ部
６１  フラップ部
６１１  回り止め部
６１２  抜け止め部
【図１】
2008312300.tif 000003
【図２】
2008312300.tif 000004
【図３】
2008312300.tif 000005
【図４】
2008312300.tif 000006
【図５】
2008312300.tif 000007
【図６】
2008312300.tif 000008
【図７】
2008312300.tif 000009
【図８】
2008312300.tif 000010
【図９】
2008312300.tif 000011